(57)【要約】【課題】容易に結露を低減できる窓面の結露防止構造を提供する。【解決手段】本発明の窓面の結露防止構造は、屋外と屋内との境界に位置する窓面（Ｇ）の結露を防止する構造であって、窓面（Ｇ）に沿う屋内側の窓際空間（Ａ）と、居住空間（Ｂ）とを仕切る仕切部材（１１）を備えている。この仕切部材（１１）は、屋内と屋外との温度差が２０℃〜２１℃において、居住空間（Ｂ）から窓際空間（Ａ）へ空気が流入するときの流量係数が０．４以下になるような形態、材質及び位置関係の少なくとも１つを有する。【選択図】図１
2015167715.tif 000002
【特許請求の範囲】
【請求項１】
屋外と屋内との境界に位置する窓面の結露を防止する構造であって、
前記窓面に沿う屋内側の窓際空間と、居住空間とを仕切る仕切部材を備え、
前記仕切部材は、屋内と屋外との温度差が２０℃〜２１℃において、前記居住空間から前記窓際空間へ空気が流入するときの流量係数が０．４以下になるような形態、材質及び位置関係の少なくとも１つを有する、窓面の結露防止構造。
【請求項２】
前記仕切部材は、前記窓際空間の両側部を閉鎖する部分を含む、請求項１に記載の窓面の結露防止構造。
【請求項３】
前記仕切部材は、前記窓際空間の下部を閉鎖する部分を含む、請求項１または２に記載の窓面の結露防止構造。
【請求項４】
前記仕切部材は、前記窓際空間の上部を閉鎖する部分を含む、請求項１〜３のいずれか１項に記載の窓面の結露防止構造。
【請求項５】
前記仕切部材は、前記窓面からの距離が４０ｍｍ以内になるように配置される、請求項１〜４のいずれか１項に記載の窓面の結露防止構造。
【発明の詳細な説明】
【技術分野】
【０００１】
本発明は、窓面の結露防止構造に関し、より特定的には、屋外と屋内との境界に位置する窓面の結露を防止する構造に関する。
【背景技術】
【０００２】
屋内の気温が屋外の気温よりも非常に高い場合には、その境界に位置する窓面に結露が発生する。結露は、耐久性を低下させる原因になり、結露を防止することが要望されている。このような結露を防止する技術として、例えば、特開２００４−１２７２号公報（特許文献１）、特許第３８９３４３５号公報（特許文献２）などが挙げられる。
【０００３】
特許文献１には、吸放湿材料を含む結露防止シートを用いることにより、吸放湿材料が周囲の水蒸気を吸収するので、結露を低減する技術が開示されている。特許文献２には、透湿化粧層、調湿層、非透湿層及び化粧層の積層体からなる結露防止シートを用いることにより、空気中の水分が調湿層に吸収除去されるので、結露を低減する技術が開示されている。
【先行技術文献】
【特許文献】
【０００４】
【特許文献１】特開２００４−１２７２号公報
【特許文献２】特許第３８９３４３５号公報
【発明の概要】
【発明が解決しようとする課題】
【０００５】
しかしながら、上記特許文献１及び２の結露防止シートでは、吸放湿材料及び調湿層に吸着した水分が増加すると、水分を吸着する能力が低下してしまい、結露を低減できない。結露の低減を維持するためには、吸放湿材料及び調湿層に吸着した水分を除去する必要があるので、手間がかかる。
【０００６】
本発明は、上記問題点に鑑み、容易に結露を低減できる窓面の結露防止構造を提供することを課題とする。
【課題を解決するための手段】
【０００７】
本発明者が結露を低減できる手段を鋭意研究した結果、窓面の結露水量は、居住空間から窓際空間へ空気が流入するときの流量係数に起因していることを見出した。そして、本発明者は、結露を効果的に低減できる流量係数を鋭意研究した結果、流量係数を０．４以下にすることによって、容易に結露を低減できる窓面の結露防止構造を実現できることを見出して、本発明を完成させた。
【０００８】
すなわち、本発明の窓面の結露防止構造は、屋外と屋内との境界に位置する窓面の結露を防止する構造であって、窓面に沿う屋内側の窓際空間と、居住空間とを仕切る仕切部材を備え、仕切部材は、屋内と屋外との温度差が２０℃〜２１℃において、居住空間から窓際空間へ空気が流入するときの流量係数が０．４以下になるような形態、材質及び位置関係の少なくとも１つを有する。
【０００９】
本発明の窓面の結露防止構造によれば、流入係数が０．４以下になるような形態、材質及び位置関係の少なくとも１つを有する仕切部材を備えているので、窓際空間への水蒸気の流入を効果的に抑制することができる。これにより、窓面の温度の下がり方よりも、窓際空間の絶対湿度の降下が大きくなることで、結露を低減できることを本発明者は見出した。したがって、流入係数が０．４以下になるような形態、材質及び位置関係の少なくとも１つを有するように仕切部材を設けることによって、容易に結露を低減できる窓面の結露防止構造を実現できる。
【００１０】
本発明の窓面の結露防止構造において、仕切部材は、窓際空間の両側部を閉鎖する部分を含んでいてもよい。また、本発明の窓面の結露防止構造において、仕切部材は、窓際空間の下部を閉鎖する部分を含んでいてもよい。また、本発明の窓面の結露防止構造において、仕切部材は、窓際空間の上部を閉鎖する部分を含んでいてもよい。
【００１１】
このように、窓際空間の両側部、下部及び上部の少なくともいずれか１つを閉鎖することにより、窓際空間の隙間を低減できるので、窓際空間への水蒸気の流入を効果的に抑制することができる。したがって、より容易に結露を低減できる窓面の結露防止構造を実現できる。
【００１２】
本発明の窓面の結露防止構造において好ましくは、仕切部材は、窓面からの距離が４０ｍｍ以内になるように配置される。これにより、結露を効果的に低減することができる。
【発明の効果】
【００１３】
以上説明したように、本発明の窓面の結露防止構造によれば、容易に結露を低減できる。
【図面の簡単な説明】
【００１４】
【図１】本発明の実施の形態における窓面の結露防止構造を概略的に示す上面図である。
【図２】本発明の実施の形態における別の窓面の結露防止構造を概略的に示す上面図である。
【図３】本発明の実施の形態における別の窓面の結露防止構造を概略的に示す上面図である。
【図４】本発明の実施の形態における別の窓面の結露防止構造を概略的に示す上面図である。
【図５】本発明の実施の形態における別の窓面の結露防止構造を概略的に示す上面図である。
【図６】本発明の実施の形態における別の窓面の結露防止構造を概略的に示す側面図である。
【図７】本発明の実施の形態における別の窓面の結露防止構造を概略的に示す側面図である。
【図８】本発明の実施の形態における別の窓面の結露防止構造を概略的に示す側面図である。
【図９】本発明の実施の形態における別の窓面の結露防止構造を概略的に示す側面図である。
【図１０】本発明の実施の形態における別の窓面の結露防止構造を概略的に示す上面図である。
【図１１】実施例における温湿度を測定する位置を示す模式図である。
【図１２】実施例における計算モデルを示す模式図である。
【図１３】実施例において、仕切部材と窓面との距離が４０ｍｍのときの流量係数と結露水量とを示す図である。
【図１４】実施例において、仕切部材と窓面との距離が１００ｍｍのときの流量係数と結露水量とを示す図である。
【発明を実施するための形態】
【００１５】
以下、図面に基づいて本発明の実施の形態を説明する。なお、以下の図面において同一または相当する部分には同一の参照符号を付しその説明は繰り返さない。
【００１６】
図１〜図１０を参照して、本発明の一実施形態の窓面の結露防止構造について説明する。図１〜図１０に示すように、本発明の実施の形態における窓面の結露防止構造は、屋外と屋内との境界に位置する窓面Ｇの結露を防止する構造である。窓面の結露防止構造は、窓面Ｇに沿う屋内（室内）側の窓際空間Ａと、居住空間Ｂとを仕切る仕切部材１０を備えている。仕切部材１０は、屋内と屋外との温度差が２０℃〜２１℃において、居住空間Ｂから窓際空間Ａへ空気が流入するときの流量係数αが０．４以下になるような形態、材質及び位置関係の少なくとも１つを有している。流量係数αは、０を超えて０．４以下であり、０．２以下が好ましく、０．１以下がより好ましい。
【００１７】
ここで、流量係数αとは、仕切部材の下端部での風速を測定し、窓際空間Ａの体積×風速／換気量（後述する式（９）における総換気量Ｑ）の式から求められる値である。風速の測定は、例えば、日本カノマックス株式会社の風速計、株式会社山本電機製作所のピトー管などを用いて行われる。
【００１８】
また、本実施の形態の流量係数αは、屋内と屋外との温度差が２０℃〜２１℃における値であって、屋内と屋外との温度差が２０℃〜２１℃以外の場合には、２０℃〜２１℃、好ましくは２１℃に換算して求められる値である。なお、屋内の温度とは、居住空間Ｂの温度を意味する。
【００１９】
以下、本実施の形態における窓面の結露防止構造の具体例を、図１〜図１０を参照して説明する。図１〜図１０では、壁面Ｗの開口に設けられた窓面Ｇの結露を防止することを目的として、流量係数αを低減するための構造を説明する。
【００２０】
仕切部材１０は、図１〜図１０に示すように、流量係数αを低減するための形態を有していてもよく、図３、図６及び図７に示すように、流量係数αを低減するための位置関係を有していてもよい。
【００２１】
流量係数αを低減するための形態として、仕切部材１０は、図１〜図５に示すように、窓際空間Ａの両側部を閉鎖する部分を含んでいてもよく、図６〜図８に示すように、窓際空間Ａの下部（底部）を閉鎖する部分を含んでいてもよく、図９に示すように、窓際空間Ａの上部を閉鎖する部分を含んでいてもよい。つまり、仕切部材１０は、図１〜図５に示すように、窓際空間Ａの両側方の隙間を低減することにより、換気を抑制してもよく、図６〜図８に示すように、窓際空間Ａの下方の隙間を低減することにより、換気を抑制してもよく、図９に示すように、窓際空間Ａの上方の隙間を低減することにより、換気を抑制してもよい。
【００２２】
具体的には、図１に示す仕切部材１０は、カーテン、ブラインド、ロールカーテン等の遮蔽部材１１と、この遮蔽部材１１を壁面Ｗに留めるための接続部材１２とを備えている。遮蔽部材１１は、窓面Ｇの幅方向の全体を覆うように配置され、窓面Ｇの幅よりも長い。この遮蔽部材１１の両側部を壁面Ｗに留めるために、接続部材１２が設けられている。接続部材は、例えばマジックテープ（登録商標）などである。接続部材１２は、遮蔽部材１１における壁面Ｗに対向する面と、壁面Ｗにおける遮蔽部材１１と対向する面とに設けられる。図１に示す構造では、遮蔽部材１１の両側面を伸ばし、接続部材１２により遮蔽部材１１と壁面Ｗとが接するようにして、窓際空間Ａの両側部を閉鎖している。
【００２３】
図２に示す仕切部材１０は、遮蔽部材１１と、この遮蔽部材１１を取り付けるための取付部材１３とを備えている。取付部材１３は、例えば、カーテンレールである。取付部材１３は、上面から見たときに略コ字状を有し、窓面Ｇに沿って、窓面Ｇの幅と略同じ幅を有する部分１３ａと、両側部から壁面Ｗに向けて延出する部分１３ｂとを有している。この取付部材１３に取り付けられた遮蔽部材１１も、略コ字状に配置される。図２に示す構造では、取付部材１３の両側面を窓面Ｇに向けて伸ばして、遮蔽部材１１の両側面を窓面Ｇに向けて伸ばすことで、窓際空間Ａの両側部を閉鎖している。
【００２４】
図３に示す仕切部材１０は、遮蔽部材１１と、この遮蔽部材１１を取り付けるための取付部材１３とを備えている。取付部材１３は、壁面Ｗにおける窓面Ｇ側の前端部（居住空間Ｂ側の端部、例えばサッシの上桟）に、窓面Ｇに沿って配置されている。図３に示す構造では、取付部材１３及び遮蔽部材１１と、壁面Ｗとで、窓際空間Ａの両側部を閉鎖している。
【００２５】
また、図３に示す構造では、図１及び図２に示す構造に比べて、窓面Ｇと仕切部材１０との距離が短い。つまり、図３に示す構造は、仕切部材１０を窓面Ｇに近づけた位置関係を有している。窓面Ｇと仕切部材１０との距離は、１００ｍｍ以下であることが好ましく、４０ｍｍ以下であることがより好ましい。
【００２６】
図４に示す仕切部材１０は、窓面Ｇに沿って配置された遮蔽部材１１と、サッシの桟などの窓枠部材１４とを備えている。窓枠部材１４は、窓面Ｇの両側部から、遮蔽部材１１の両側部に向けて延出している。図４に示す構造では、窓枠部材１４と遮蔽部材１１とで、窓際空間Ａの両側部を閉鎖している。
【００２７】
図５に示す仕切部材１０は、窓面Ｇに沿って配置された遮蔽部材１１と、額縁などの窓枠部材１４とを備えている。窓枠部材１４は、図５の矢印で示すように、窓面Ｇの両側部から居住空間Ｂ側に向けて延出するように、折り畳み可能に構成されている。居住空間Ｂ側に向けて延出された窓枠部材１４は、遮蔽部材１１の側部と接触する。図５に示す構造では、窓枠部材１４を遮蔽部材１１に向けて伸ばして、遮蔽部材１１と窓枠部材１４とが接するように配置することで、窓際空間Ａの両側部を閉鎖している。
【００２８】
図６に示す仕切部材１０は、遮蔽部材１１と、この遮蔽部材１１を取り付けるための取付部材１３とを備えている。取付部材１３の一端は、壁面Ｗにおける窓面Ｇ上端側の前端部（居住空間Ｂ側の端部）に取り付けられている。取付部材１３の他端は、図６の矢印に示すように、一端を中心として、水平方向から鉛直方向下方まで回転可能であり、鉛直方向下方の任意の位置に配置される。取付部材１３の他端を下方に配置したときには、遮蔽部材１１は、窓面Ｇの長さ方向の全体を覆うように配置され、窓面Ｇの長さよりも長くなる。このように、図６に示す仕切部材１０は、取付部材１３の他端を下方に配置することで、窓際空間Ａの下部を閉鎖する部分を有することにより流量係数αを低減するための形態を有し、かつ、仕切部材１０を窓面Ｇに近づけることにより、流量係数αを低減するための位置関係を有している。
【００２９】
図７に示す仕切部材１０は、遮蔽部材１１と、この遮蔽部材１１を取り付けるための取付部材１３とを備えている。遮蔽部材１１の下部が窓面Ｇに近づくように湾曲されている。このような遮蔽部材１１は、硬質の材質のものを用いること、遮蔽部材１１の下部を下方の壁面Ｗに取り付けることなどにより実現できる。図７に示す仕切部材１０は、窓際空間Ａの下部を閉鎖する部分を有することにより流量係数αを低減するための形態を有している。また、図７に示す仕切部材１０は、遮蔽部材１１の下部を壁面Ｗに近づけているので、仕切部材１０を窓面Ｇに近づけることにより、流量係数αを低減するための位置関係を有している。
【００３０】
図８に示す仕切部材１０は、遮蔽部材１１と、この遮蔽部材１１を取り付けるための取付部材１３とを備えている。遮蔽部材１１は、窓面Ｇの長さ方向の全体を覆うように配置され、窓面Ｇの長さよりも長く、床面近くまで延在させてもよい。図８に示すように、窓面Ｇは、腰窓であってもよい。図８に示す構造では、遮蔽部材１１で窓際空間Ａの下部を閉鎖するとともに、遮蔽部材１１は居住空間Ｂから窓際空間Ａへの空気の流れに対する抵抗となるので、空気の流入を抑制できる。
【００３１】
図９に示す仕切部材１０は、遮蔽部材１１と、この遮蔽部材１１を取り付けるための取付部材１３と、この取付部材１３上に配置された板状部材１５とを備えている。板状部材１５は、取付部材１３を被覆し、上部の隙間を低減している。板状部材１５は、取付部材１３を覆うことができれば特に限定されないが、例えば、樹脂板である。図９に示す構造は、板状部材１５と遮蔽部材１１とで、窓際空間Ａの上部を閉鎖している。
【００３２】
図１０に示す仕切部材１０は、中央で分離した複数枚の遮蔽部材１１と、この複数枚の部材のそれぞれを接続するための接続部材１２とを備えている。接続部材１２は、例えばマジックテープであり、遮蔽部材１１を構成する複数の部材のそれぞれに設けられる。図１０に示す構造では、接続部材１２を用いて、遮蔽部材１１の複数枚の部材を中央で接着することにより、居住空間Ｂから窓際空間Ａへの空気の流入を防止することにより、流量係数αを低減している。
【００３３】
また、仕切部材１０は、居住空間Ｂから窓際空間Ａへ空気が流入するときの流量係数αを低減する材質を有していてもよい。この場合、上述したような流量係数αを低減するための形態及び／または位置関係と組み合わせて、仕切部材１０の流量係数が０．４以下になるようにする。また、仕切部材１０は、上述したような流量係数αを低減するための形態及び位置関係を有さずに、流量係数αが０．４以下になるような材質を有していてもよい。このような流量係数αを低減するための材質として、例えばアクリル板などの多孔度の低い材質で構成された遮蔽部材１１を用いることができる。
【００３４】
なお、図１〜図１０に示す流量係数αを低減するための形態を適宜組み合わせてもよい。具体的には、仕切部材１０は、両側部と下部と上部とを閉鎖する部分を有していてもよく、両側部と下部とを閉鎖する部分を有していてもよく、下部と上部とを閉鎖する部分を有していてもよい。また、仕切部材１０は、両側部、下部及び上部の少なくとも１つを閉鎖する部分を有するとともに、窓面Ｇに近づくように配置されてもよい。また、仕切部材１０は、両側部、下部及び上部の少なくとも１つを閉鎖する部分を有するとともに、流量係数αを低減するための材質で構成されていてもよい。また、仕切部材１０は、窓面Ｇに近づくように配置されるとともに、流量係数αを低減するための材質で構成されていてもよい。
【００３５】
また、本実施の形態の窓面の結露防止構造は、屋内と屋外との温度差が２０℃〜２１℃において、居住空間Ｂから窓際空間Ａへ空気が流入するときの流量係数αが０．４を超える場合に、流入係数αが０．４以下になるように窓際空間Ａの両側部、下部及び上部の少なくともいずれか１つを閉鎖するように仕切部材１０が自動で動くように制御する制御部を備えていてもよい。この場合、例えば、以下のように制御する。センサによる屋内及び屋外の温度の測定、風速計による仕切部材１０の下端部での風速の測定などを実施し、流量係数αが０．４以下か否かを判断する。流量係数αが０．４以下の場合には、仕切部材１０は現状のままとする。流量係数αが０．４を超える場合には、窓際空間Ａの隙間を閉鎖するために仕切部材１０を自動で動かす。このステップでは、窓際空間Ａの両側部、下部及び上部の少なくともいずれか１つを閉鎖するように仕切部材１０を移動させる。
【００３６】
以上説明したように、本実施の形態の窓面の結露防止構造は、屋外と屋内との境界に位置する窓面Ｇの結露を防止する構造であって、窓面Ｇに沿う屋内側の窓際空間Ａと、居住空間Ｂとを仕切る仕切部材１０を備え、仕切部材１０は、屋内と屋外との温度差が２０℃〜２１℃において、居住空間Ｂから窓際空間Ａへ空気が流入するときの流量係数が０．４以下になるような形態、材質及び位置関係の少なくとも１つを有する。
【００３７】
本実施の形態の窓面の結露防止構造によれば、窓際空間Ａの換気を抑制して、窓際空間Ａへの水蒸気の流入を効果的に抑制することができるので、窓面Ｇの表面温度の下がり方よりも窓際空間Ａの絶対湿度の降下を大きくすることができる。その結果、本実施の形態の窓面の結露防止構造によれば、結露を容易に低減できる。
【００３８】
また、仕切部材１０の断熱効果によって、窓面Ｇの表面温度の低下が、結露水発生時の凝縮熱により緩和されることを本発明者は見出した。この知見に基づき、流量係数が０．４以下になるように窓際空間Ａの隙間を低減することで、窓際空間Ａへの水蒸気の流入を効果的に抑制し、窓面Ｇの表面温度低下による影響を小さくすることができる。したがって、本実施の形態の窓面の結露防止構造によれば、容易に結露を低減できる。
【００３９】
このように、本実施の形態の窓面の結露防止構造は、カーテン、ブラインド等の遮蔽部材１１、マジックテープなどの接続部材１２、カーテンレールなどの取付部材１３、サッシの桟、額縁などの窓枠部材１４、樹脂板などの板状部材１５などを用いて、形態、材質及び位置関係の少なくとも１つを、流量係数が０．４以下になるようにすることで、容易に結露を低減することができる。このため、本実施の形態の窓面の結露防止構造は、結露防止シートのように管理が必要なものでもなく、結露防止シートのように窓面に張り付けることによりガラスの透光性を損なうものでもない。また、本実施の形態の窓面の結露防止構造は、窓面に発熱体を取り付けることも不要であり、空調機による窓際空間の温度及び湿度の調整も不要であり、エネルギーコストの面においても有利である。また、本実施の形態の窓面の結露防止構造は、二重窓のように新たな窓の施工が必要なものではなく、複層ガラスのように窓ガラス自体の入れ替えが必要なものでもない。
【実施例】
【００４０】
本実施例では、流量係数が０．４以下になるように窓際空間を仕切ることによる効果について調べた。
【００４１】
（結露水量、窓ガラスの表面温度、窓際空間の温度及び絶対湿度の実測）
窓面の結露水量の実測として、図１１に示すように、屋内をカーテンで仕切り、窓面とカーテンとの空間を窓際空間とし、カーテンよりも屋内側の空間を居住空間とし、窓際空間を１室として捉え、以下の条件で結露水量、窓ガラスの表面温度、窓際空間の温度及び絶対湿度を実測した。
【００４２】
屋外と屋内との境界に位置する窓面を構成する窓ガラスを想定した幅７８０ｍｍ、高さ１０３０ｍｍ、厚さ３ｍｍの板ガラス（有効面積寸法：幅７２０ｍｍ×高さ９２０ｍｍ）に、カーテンを模したポリエチレンシート（幅９００ｍｍ×長さ１２００ｍｍ×厚さ０．２ｍｍ）を取り付けたもの（カーテン有）と、取り付けなかったもの（カーテン無）との２種類を準備した。
【００４３】
図１１に示す測定位置で、カーテンと窓ガラスとの距離ｄを４０ｍｍ及び１００ｍｍの２条件とした時のそれぞれについて、窓ガラス表面温度、屋外の温度、居住空間の温度及び相対湿度、窓際空間の温度及び相対湿度、及び結露水量をそれぞれ測定した。窓ガラス表面温度はＴ熱電対を用い、温度及び相対湿度は高分子温湿度センサを用いて、それぞれ１分間隔で測定した。結露水量は、窓ガラスから落下してくる結露水をパットで受け、電子天秤を用いて１時間間隔で自動測定した。結露水量の測定は、窓ガラス全面に表面結露が生じ、結露発生量が定常状態に達したと推定される条件開始３時間後から開始した。
【００４４】
設定条件は、屋外の温度を０℃、居住空間Ｂの温度を２１℃の一定条件とし、居住空間の空気相対湿度を３０％で養生させた後、７０％に上昇させて約１５時間保持した。
【００４５】
このようにして、各部の温度及び相対湿度、窓ガラスに生じた結露水を測定した。絶対湿度は、温度及び相対湿度の測定結果から求めた。
【００４６】
この実測から、カーテンの断熱効果による窓ガラス表面の温度低下は、窓ガラス表面で結露が生じたことによる凝縮潜熱により緩和されることが分かった。
【００４７】
（結露水量、窓ガラスの表面温度、窓際空間の温度及び絶対湿度の予測計算方法）
窓面の結露水量の計算モデルとして、図１２に示すように、屋内をカーテンで仕切り、窓面とカーテンとの空間を窓際空間とし、カーテンよりも屋内側の空間を居住空間とし、窓際空間を１室として捉え、窓際空間の熱収支、水分収支及び結露による凝縮潜熱を考慮し、定常状態として計算を行った。換気は温度差による重力換気とし、窓際空間の上下及び側面の開口からの換気を考慮した。また、窓ガラス及びカーテンにおいては熱貫流のみを考慮し、透湿については考慮しなかった。窓際空間における熱収支式を下記の式（１）及び（２）に示す。
【００４８】
【数１】
2015167715.tif 000003
【００４９】
【数２】
2015167715.tif 000004
【００５０】
窓際空間における水分収支式を下記の式（３）に示す。
【００５１】
【数３】
2015167715.tif 000005
【００５２】
カーテンからの透湿は考慮しないため、式（３）の左辺第２項は０とする。窓ガラスで結露が生じた場合、凝縮熱を考慮したガラス内表面温度θwは、以下の式により求める。
【００５３】
【数４】
2015167715.tif 000006
【００５４】
【数５】
2015167715.tif 000007
【００５５】
ここで、窓ガラス内表面の絶対湿度Ｘwは、表面温度θwに応じた飽和絶対湿度であるので、形成される窓ガラス表面温度範囲内で下記の式（６）のように直線近似している。
【００５６】
【数６】
2015167715.tif 000008
【００５７】
ここで、式（６）中、ａ、ｂは直線近似における定数である。またＬは水蒸気の凝縮潜熱である。したがって、式（４）及び式（５）より、窓ガラス内表面温度θwは下記の式（７）により求められる。
【００５８】
【数７】
2015167715.tif 000009
【００５９】
カーテン無の場合、式（７）のαc、αc'をそれぞれαi、αi'として計算を行った。窓ガラス内表面における結露水量Ｗwは下記の式（８）により算出した。
【００６０】
【数８】
2015167715.tif 000010
【００６１】
窓際空間における換気は温度差による重力換気とし、総換気量Ｑ、上下の開口からの換気量Ｑud及び側面の開口からの換気量Ｑsideを以下にそれぞれ示す。
【００６２】
【数９】
2015167715.tif 000011
【００６３】
【数１０】
2015167715.tif 000012
【００６４】
【数１１】
2015167715.tif 000013
【００６５】
ここで、式（１０）及び式（１１）におけるｈ1は窓際空間の上端の高さ、ｈ2は窓際空間の下端の高さ、ｈnは中性帯の高さ（ｈn＝((ｈ1＋ｈ2))／２）、Ａは窓際空間の上下開口の開口面積、Ｂは窓際空間の左右開口の幅、αは流量係数である。側面の開口は左右にあるため、式（９）においてＱsideは２倍としている。
【００６６】
上述した実測の結果から、カーテンの断熱効果による窓面の表面温度低下は、窓ガラス表面で結露が生じたことによる凝縮潜熱により緩和されることを見出したので、結露水量、窓ガラスの表面温度、窓際空間の温度及び絶対湿度の予測計算方法では、式（７）を用いて、凝縮潜熱の温度上昇を考慮した。
【００６７】
（湿気伝達係数及び流量係数の同定）
本実施例では、居住空間及び窓際空間の湿気伝達率αi'、αc'及び流量係数αを、実測の結果（実験結果）と計算結果とを比較することによって同定した。下記の表１に、実験結果及び計算条件を示す。
【００６８】
【表１】
2015167715.tif 000014
【００６９】
なお、上記の表１において、Ｌ：２５００．３ｋＪ／ｋｇ、ガラス厚：３ｍｍ、カーテン厚：２ｍｍ、流入空気の密度γi：１．２ｋｇ／ｍ3、空気の比熱Ｃａ：１．００６ｋＪ／ｋｇＫ、窓面及びカーテンサイズ：Ｗ７２０ ｍｍ×Ｈ９７０ｍｍ、窓ガラスの下端の高さ：１０００ｍｍ、カーテン無の場合は、ｄ＝１００ｍ、流量係数α＝０．６、αi＝２５、αi'＝２５、αc＝２５、αc'＝２７として計算した。また、上記の表１の「実験結果／計算条件＊」の欄において、実験結果を示す数値には何も付さず、計算条件を示す数値には「＊」を付している。
【００７０】
まず、窓際空間の湿気伝達率αc'及び居住空間から窓際空間への空気の流量係数αは、αc'をある値に固定した後、αを変化させて計算し、実験結果のθc、θwに合うように求めた。次に、このαを求めた値に固定した後、αc'を変化させて計算し、結露水量の実験結果に合うようにαc'を求めた。この時点でのαc'は、最初にαを求めたときのαc'とは異なるため、実験結果θc、θwとの差が生じる。したがって、この差が無くなるように、一連の操作を実験結果と計算結果とが一致するまで繰り返し各値を同定した。その結果、表１に示すように、取付条件としての距離ｄ＝４０ｍｍ及びｄ＝１００ｍｍに対し、湿気伝達率αi'は２０．０［ｋｇ／ｍ2ｈ（ｋｇ／ｋｇ’）］、αc'はそれぞれ１７．０、１８．０ ［ｋｇ／ｍ2ｈ（ｋｇ／ｋｇ’）］、流量係数αは０．４、０．５となった。この結果から分かるように、取付条件によって両者の値は若干異なっていた。
【００７１】
（結露水量の計算結果と実験結果との比較）
上述したように、流量係数αによって窓際空間の温湿度及び結露水量が大きく変動することが分かった。そのため、流量係数αを変化させて計算し、カーテン取付状態が結露水量に与える影響を検討した。図１３及び図１４に、距離ｄ＝４０ｍｍ及びｄ＝１００ｍｍのそれぞれについて、流量係数αを０．０１〜１まで変化させた時の結露水量、窓際空間の温度、窓ガラス表面温及び窓際空間の絶対湿度の結果をそれぞれ示す。なお、図１３及び図１４には、上述した実験結果との比較の結果を破線で示している。
【００７２】
図１３及び図１４に示すように、流量係数αが小さくなると、窓ガラス表面温度、窓際空間の温度及び絶対湿度が下がり、特に、流量係数αが０．４よりも小さくなると、窓ガラス表面温度の下がり方よりも窓部絶対湿度の降下の方が大きく、その結果、結露水量が急激に減少していた。この効果は、流量係数αが０．２以下であると顕著になり、０．１以下であるとより顕著になる。
【００７３】
以上説明したように、本実施例によれば、カーテンの断熱効果による窓ガラス表面の温度低下は、窓ガラス表面で結露が生じたことによる凝縮潜熱により緩和されることを見出した。この知見に基づき、凝縮潜熱の温度上昇を考慮して、結露と換気との関係に着目し、結露水量を低減するために研究した結果、仕切部材を用いて壁面を含む空間を仕切ったときの窓際空間への流量係数が、結露水量に大きく影響することを見出した。そして、この流量係数を０．４以下になるような形態、材質及び位置関係の少なくとも１つを有する仕切部材を用いて窓面に沿う屋内側の窓際空間を形成することによって、窓面の結露水量を低減できることが確認できた。
【００７４】
以上のように本発明の実施の形態及び実施例について説明を行なったが、実施の形態及び実施例の特徴を適宜組み合わせることも当初から予定している。また、今回開示された実施の形態及び実施例はすべての点で例示であって制限的なものではないと考えられるべきである。本発明の範囲は上記した実施の形態及び実施例ではなくて特許請求の範囲によって示され、特許請求の範囲と均等の意味および範囲内でのすべての変更が含まれることが意図される。
【符号の説明】
【００７５】
１０  仕切部材、１１  遮蔽部材、１２  接続部材、１３  取付部材、１３ａ，１３ｂ  部分、１４  窓枠部材、１５  板状部材、Ａ  窓際空間、Ｂ  居住空間、Ｇ  窓面、Ｗ  壁面。
【図１】
2015167715.tif 000015
【図２】
2015167715.tif 000016
【図３】
2015167715.tif 000017
【図４】
2015167715.tif 000018
【図５】
2015167715.tif 000019
【図６】
2015167715.tif 000020
【図７】
2015167715.tif 000021
【図８】
2015167715.tif 000022
【図９】
2015167715.tif 000023
【図１０】
2015167715.tif 000024
【図１１】
2015167715.tif 000025
【図１２】
2015167715.tif 000026
【図１３】
2015167715.tif 000027
【図１４】
2015167715.tif 000028